(57)【要約】【課題】筺体の回動動作に応じて、所定の機能を起動させるようにする。【解決手段】携帯電話機１は、本体と表示部から構成され、回動部により表示部が回動されることで、折り畳み可能に形成されている。検出部５０は、表示部の静止状態を監視し、その位置を検出するとともに、回動状態を検出する。CPU４１は、検出部５０からの検出結果に基づいて、表示部が時計回りに回動されたと判断した場合、予めユーザにより設定されRAM４３に記憶されている第１の機能を選択し、それを起動する。またCPU４１は、表示部が反時計回りに回動されたと判断した場合、予めユーザにより設定されRAM４３に記憶されている第２の機能を選択し、それを起動する。本発明は、携帯電話機に適用することができる。【選択図】図６
2005142626.tif 000002
【特許請求の範囲】
【請求項１】
本体と、
表示部と、
前記本体に対して、前記表示部を回動自在に支持する回動部と
を有する電子機器において、
前記表示部の回動を検出する検出手段と、
前記検出手段による検出結果に基づいて、予め設定された機能を選択して起動する選択手段と
を備えることを特徴とする電子機器。
【請求項２】
前記検出手段は、少なくとも、前記表示部の回動方向、回動角度、または回動速度を検出する
ことを特徴とする請求項１に記載の電子機器。
【請求項３】
前記選択手段は、前記検出手段による検出結果に基づいて、予め設定された画像を選択し、それを表示する
ことを特徴とする請求項１に記載の電子機器。
【請求項４】
前記本体と表示部は、それぞれ光通信部を有し、前記光通信部により情報の授受を行う
ことを特徴とする請求項１に記載の電子機器。
【請求項５】
前記電子機器は、携帯電話機により構成される
ことを特徴とする請求項1に記載の電子機器。
【請求項６】
本体と、
表示部と、
前記本体に対して、前記表示部を回動自在に支持する回動部と
を有する電子機器の情報処理方法において、
前記表示部の回動を検出する検出ステップと、
前記検出ステップの処理による検出結果に基づいて、予め設定された機能を選択して起動する選択ステップと
を含むことを特徴とする情報処理方法。
【請求項７】
本体と、
表示部と、
前記本体に対して、前記表示部を回動自在に支持する回動部と
を有する電子機器の情報処理を制御するプログラムであって、
前記表示部の回動を検出する検出ステップと、
前記検出ステップの処理による検出結果に基づいて、予め設定された機能を選択して起動する選択ステップと
を含むことを特徴とするコンピュータが読み取り可能なプログラムが記録されている記録媒体。
【発明の詳細な説明】
【技術分野】
【０００１】
本発明は、電子機器、情報処理方法、および記録媒体に関し、特に、例えば、筺体の回動動作に応じて、所定の機能を起動させることができるようにした電子機器、情報処理方法、および記録媒体に関する。
【背景技術】
【０００２】
近年、主流になってきている折り畳み型の携帯電話機は、例えば、受話用スピーカや表示部などが設けられた第１の筺体と、送話用マイクロフォンや入力部などが設けられた第２の筺体が、中央に配置されたヒンジ部を介して開閉自在に構成されている。
【０００３】
この折り畳み型の携帯電話機は、待ち受け時には筺体を折り畳んで小型化することで良好な携帯性が得られ、通信時には筺体を展開することで高い操作性と視認性が得られる。
【０００４】
しかしながら、昨今の携帯電話機には、例えば、デジタルカメラ機能やテレビ電話機能などが搭載されてきており、それらの高度な機能を実現するために、２つの筺体の間で授受すべき信号線数が多くなり、ヒンジ部を大型化しなければならない。
【０００５】
そこで、例えば、ヒンジ部内に収容されるフレキシブル基板全体を小さくすることで、携帯電話機を小型化するようにしているものが提案されている（例えば、特許文献１参照）。
【０００６】
【特許文献１】特開２００３−２５８９６１号公報
【発明の開示】
【発明が解決しようとする課題】
【０００７】
従来の折り畳み型の携帯電話機は、小型化に関する技術は多く提案されているものの、筺体の回動動作に応じて、所定の機能を起動させたり、所定の待ち受け画面を表示させるといった技術は全く存在しなかった。
【０００８】
本発明はこのような状況に鑑みてなされたものであり、筺体の回動動作に応じて、所定の機能を起動させたり、所定の待ち受け画面を表示させることができるようにするものである。
【課題を解決するための手段】
【０００９】
本発明の電子機器は、本体と、表示部と、本体に対して、表示部を回動自在に支持する回動部とを有する電子機器であって、表示部の回動を検出する検出手段と、検出手段による検出結果に基づいて、予め設定された機能を選択して起動する選択手段とを備えることを特徴とする。
【００１０】
前記検出手段は、少なくとも、表示部の回動方向、回動角度、または回動速度を検出するようにすることができる。
【００１１】
前記選択手段は、検出手段による検出結果に基づいて、予め設定された画像を選択し、それを表示するようにすることができる。
【００１２】
前記本体と表示部は、それぞれ光通信部を有し、その光通信部により情報の授受を行うようにすることができる。
【００１３】
前記電子機器は、携帯電話機により構成することができる。
【００１４】
本発明の情報処理方法は、本体と、表示部と、本体に対して、表示部を回動自在に支持する回動部とを有する電子機器の情報処理方法であって、表示部の回動を検出する検出ステップと、検出ステップの処理による検出結果に基づいて、予め設定された機能を選択して起動する選択ステップとを含むことを特徴とする。
【００１５】
本発明の記録媒体に記録されているプログラムは、本体と、表示部と、本体に対して、表示部を回動自在に支持する回動部とを有する電子機器の情報処理を制御するプログラムであって、表示部の回動を検出する検出ステップと、検出ステップの処理による検出結果に基づいて、予め設定された機能を選択して起動する選択ステップとを含む処理をコンピュータに行わせることを特徴とする。
【００１６】
本発明においては、本体に対する表示部の回動が検出され、その検出結果に基づいて、予め設定された機能が選択されて起動される。
【発明の効果】
【００１７】
本発明によれば、本体と表示部を回動自在に支持することができる。特に、筺体の回動動作に応じて、所定の機能を起動させたり、所定の待ち受け画面を表示させることが可能となる。
【発明を実施するための最良の形態】
【００１８】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００２０】
本発明は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器であって、表示部の回動を検出する検出手段（例えば、図８のステップＳ１３，Ｓ１５，Ｓ１８の処理を実行する図６の検出部５０）と、検出手段による検出結果に基づいて、予め設定された機能を選択して起動する選択手段（例えば、図８のステップＳ１６またはＳ１９の処理を実行する図６のCPU４１）とを備える電子機器を提供する。
【００２１】
前記検出手段は、少なくとも、表示部の回動方向（例えば、時計回りまたは反時計回り）、回動角度、または回動速度を検出するようにすることができる。
【００２２】
前記選択手段は、検出手段による検出結果に基づいて、予め設定された画像（例えば、図１１乃至図１４に示す待ち受け画面）を選択し、それを表示するようにすることができる（例えば、図１０のステップＳ５４またはＳ５５）。
【００２３】
前記本体と表示部は、それぞれ光通信部（例えば、図３の光通信部３１，３２）を有し、その光通信部により情報の授受を行うようにすることができる。
【００２４】
前記電子機器は、携帯電話機（例えば、図１乃至図３の携帯電話機１）により構成することができる。
【００２５】
また、本発明は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器の情報処理方法であって、表示部の回動を検出する検出ステップ（例えば、図８のステップＳ１３，Ｓ１５，Ｓ１８）と、検出ステップの処理による検出結果に基づいて、予め設定された機能を選択して起動する選択ステップ（例えば、図８のステップＳ１６またはＳ１９）とを含む情報処理を提供する。
【００２６】
また、本発明は、本体（例えば、図１乃至図３の本体１３）と、表示部（例えば、図１乃至図３の表示部１２）と、本体に対して、表示部を回動自在に支持する回動部（例えば、図１乃至図３の回動部１１）とを有する電子機器の情報処理方法であって、表示部の回動を検出する検出ステップ（例えば、図８のステップＳ１３，Ｓ１５，Ｓ１８）と、検出ステップの処理による検出結果に基づいて、予め設定された機能を選択して起動する選択ステップ（例えば、図８のステップＳ１６またはＳ１９）とを含む処理をコンピュータに行わせるプログラムが記録された記録媒体（例えば、図６のリムーバブルメディア５２）を提供する。
【００２７】
本発明は、着脱可能な飾り板（例えば、図２の飾り板４０）が粘着素材で筺体に取り付けられることを特徴とする電子機器を提供する。
【００２８】
この電子機器は、携帯電話機（例えば、図１の携帯電話機１）により構成するようにすることができる。
【００２９】
また、この電子機器の粘着素材は、シリコン系の微粘着素材とすることができる。
【００３０】
さらに、この電子機器の筺体には、ICカード（例えば、図５のICカード８１）が埋め込まれているようにすることができる。
【００３１】
以下に、本発明の実施の形態について図面を参照して説明する。
【００３２】
図１乃至図３は、本発明を適用した表示部回転式の携帯電話機１の外観の構成例を示す図である。図１は、携帯電話機１の折り畳みを開いた状態の正面図を示し、図２は、携帯電話機１を折り畳んだ状態の斜視図を示し、図３は、携帯電話機１を折り畳んだ状態の側面図を示している。
【００３３】
携帯電話機１は、基本的に、表示部１２および本体１３から構成され、中央の回動部１１により表示部１２が回動されることで、折り畳み可能に形成されている。
【００３４】
表示部１２の上端近傍には、スピーカ２１が設けられており、スピーカ２１から音声が出力される。表示部１２のほぼ中央には、LCD（Liquid Crystal Display）２２が設けられている。LCD２２には、電波の受信状態、電池の残量、電話帳として登録されている氏名や電話番号、および発信履歴の他、入力ボタン２６が操作されることにより作成された文章（電子メールとして送信する文章）などが表示される。
【００３５】
表示部１２のLCD２２の下方中央には、水平方向（筐体の左右方向）を軸として回転自在なジョグダイヤル２３が、表示部１２の表面から僅かに突出した状態で設けられている。例えば、このジョグダイヤル２３に対する回転操作に応じて、LCD２２に表示されている電子メールのスクロール等が行われる。ジョグダイヤル２３の左右には、左方向ボタン２４、および右方向ボタン２５がそれぞれ設けられている。
【００３６】
一方、本体１３には、「０」乃至「９」の数字ボタン（テンキー）、「＊」ボタン、「♯」ボタンからなる入力ボタン２６が設けられている。ユーザは、この入力ボタン２６を操作することで、例えば、電子メールとして送信する文章やメモ帳などを作成することができる。本体１３の下方近傍には、マイクロフォン２７が設けられており、ユーザの音声が集音される。本体１３の背面には、引き出しまたは収納可能なアンテナ４４（図６）が設けられており、このアンテナ４４を介して、基地局（図示せず）との間で電波が送受信される。
【００３７】
また携帯電話機１は、図２に示されるように、表示部１２が回動部１１により回動されて本体１３と重なり合うように折り畳まれた状態でも、LCD２２、ジョグダイヤル２３、左方向ボタン２４、および右方向ボタン２５が露出されるため、入力ボタン２６を用いることなく特定の機能を操作することができる。
【００３８】
さらに携帯電話機１は、表示部１２と本体１３を、フレキシブルケーブルや極細同軸ケーブルなどで電気的に結線して情報を授受するのではなく、図３に示されるように、回動部１１の近傍にそれぞれ配置した光通信部３１（表示部１２側）と光通信部３２（本体１３側）の間で光通信を行う。
【００３９】
これにより、回動部１１は、その回動動作の制約を受けることがなくなるため、例えば、図４に示されるように、表示部１２を本体１３に対して時計回りに回動させたり、あるいは、図５に示されるように、表示部１２を本体１３に対して反時計回りに回動させたりすることができる。
【００４０】
また、表示部１２と本体１３の中継ケーブルが不要となるため、断線や接触不良、またはケーブルからのノイズ放射といった問題を解消することができる。さらに、基板上にケーブルコネクタを設ける必要がなくなり、配線数を減らすことができる。
【００４１】
以下、図１に示した携帯電話機１の状態を「開いた状態」と称し、図３に示した携帯電話機１の状態を「閉じた状態」を称する。
【００４２】
図６は、携帯電話機１の内部の構成例を示すブロック図である。
【００４３】
CPU（Central Processing Unit）４１は、ROM（Read Only Memory）４２に記憶されている制御プログラムをRAM（Random Access Memory）４３に展開し、バス４７を介して携帯電話機１の全体の動作を制御する。例えば、CPU４１は、文章を作成することがユーザにより指示されたとき、所定の文章作成プログラムを起動させ、表示制御部４６を制御し、文章作成画面をLCD２２に表示させる。
【００４４】
通信制御部４５は、アンテナ４４を介して基地局（図示せず）との間で電波を送受信し、例えば、音声通話モード時において、アンテナ４４で受信されたRF（Radio Frequency）信号を増幅して周波数変換処理、アナログディジタル変換処理、スペクトラム逆拡散処理等の所定の処理を施し、得られた音声データを音声コーデック４９に出力する。また、通信制御部４５は、音声コーデック４９から音声データが供給されてきたとき、ディジタルアナログ変換処理、周波数変換処理、およびスペクトラム拡散処理等の所定の処理を施し、得られた音声信号をアンテナ４４から送信する。
【００４５】
表示制御部４６は、LCD２２の表示を制御し、各種情報をテキストやイメージなどで表示させる。入力部４８は、ジョグダイヤル２３、左方向ボタン２４、右方向ボタン２５、および入力ボタン２６等により構成され、それらに対するユーザの操作を検出し、それらのボタンが押下されたとき、対応する信号をCPU４１に出力する。
【００４６】
音声コーデック４９は、通信制御部４５から供給されてきた音声データを音声信号に変換し、対応する音声信号をスピーカ２１から出力する。また、音声コーデック４９は、マイクロフォン２７により集音されたユーザの音声を音声データに変換し、それを通信制御部４５に出力する。
【００４７】
検出部５０は、回動部１１の近傍に設けられており、表示部１２の静止状態を監視し、その位置を検出するとともに、回動状態を監視し、回動方向（時計回りまたは反時計回り）や回動角度、あるいは回動速度などを検出する。検出部５０による検出結果は、CPU４１に通知される。
【００４８】
バス４７には、必要に応じてドライブ５１が接続され、磁気ディスク、光ディスク、光磁気ディスク、あるいは、半導体メモリなどのリムーバブルメディア５２が適宜装着され、それから読み出されたコンピュータプログラムが、必要に応じて携帯電話機１にインストールされる。
【００４９】
次に、図７のフローチャートを参照して、携帯電話機１が実行する機能設定処理について説明する。この処理は、例えば、ユーザが、表示部１２の回動方向に応じて所定の機能を起動させたい場合において、LCD２２に表示されるメニューから機能設定処理を開始する項目（図示せず）が選択されたとき、開始される。
【００５０】
ステップＳ１において、CPU４１は、ユーザにより、ジョグダイヤル２３や入力ボタン２６などが操作されて、表示部１２が時計回りに回動された場合（図４）に起動させる機能が入力されたか否か、すなわち、ユーザ入力に基づく信号（以下、ユーザ入力信号と称する）が入力部４８から供給されたか否かを判定し、表示部１２が時計回りに回動された場合に起動させる機能が入力されたと判定するまで待機する。
【００５１】
そして、ステップＳ１において、表示部１２が時計回りに回動された場合に起動させる機能（例えば、電子メール送受信プログラム）が入力されたと判定された場合、ステップＳ２に進み、CPU４１は、ユーザ入力信号に基づいて、表示部１２が時計回りに回動された場合に起動させる機能（いまの場合、電子メール送受信プログラム）を設定し、それをRAM４３に記憶させる。
【００５２】
ステップＳ３において、CPU４１は、ユーザにより、表示部１２が反時計回りに回動された場合（図５）に起動させる機能が入力されたか否かを判定し、その機能が入力されたと判定するまで待機する。
【００５３】
そして、ステップＳ３において、表示部１２が反時計回りに回動された場合に起動させる機能（例えば、音楽再生プログラム）が入力されたと判定された場合、ステップＳ４に進み、CPU４１は、ユーザ入力信号に基づいて、表示部１２が反時計回りに回動された場合に起動させる機能（いまの場合、音楽再生プログラム）を設定し、それをRAM４３に記憶させる。
【００５４】
この処理により、表示部１２が時計回りに回動された場合（図４）に起動させる機能（いまの場合、電子メール送受信プログラム）が設定されるとともに、表示部１２が反時計回りに回動された場合（図５）に起動させる機能（いまの場合、音楽再生プログラム）が設定される。
【００５５】
なお、以上においては、表示部１２が時計回りに回動された場合に起動させる機能の設定処理、および、表示部１２が反時計回りに回動された場合に起動させる機能の設定処理の順で行うようにしたが、これはあくまで一例であり、この逆順で行うようにすることも勿論可能である。
【００５６】
次に、図８のフローチャートを参照して、携帯電話機１が実行する機能選択処理について説明する。この処理は、検出部５０により、表示部１２が閉じた状態（図３）であることが検出された場合に開始される。
【００５７】
ステップＳ１１において、CPU４１は、検出部５０からの検出結果に基づいて、携帯電話機１の待ち受け状態を取得する。ステップＳ１２において、CPU４１は、ユーザにより表示部１２が回動されたか否か、すなわち、検出部５０から表示部１２の回動状態に関する検出結果（回動方向、回動角度、あるいは回動速度など）が供給されたか否かを判定し、表示部１２が回動されるまで待機する。そして、ステップＳ１２において、表示部１２が回動されたと判定された場合、ステップＳ１３に進み、CPU４１は、検出部５０から供給された検出結果に基づいて、表示部１２が時計回りに回動されたか否かを判定する。
【００５８】
ステップＳ１３において、表示部１２が時計回りに回動されたと判定された場合、ステップＳ１４に進み、CPU４１は、さらに検出部５０から供給された検出結果に基づいて、表示部１２の位置を検出する。ステップＳ１５において、CPU４１は、表示部１２が完全に開いた状態（図１）になったか否かを判定し、未だ表示部１２が完全に開いた状態になっていないと判定した場合、ステップＳ１４に戻り、上述した処理を繰り返し実行する。
【００５９】
ステップＳ１５において、表示部１２が完全に開いた状態になったと判定された場合、ステップＳ１６に進み、CPU４１は、上述した図７のステップＳ２の処理によりRAM４３に記憶されている、表示部１２が時計回りに回動された場合に起動させる機能（いまの場合、電子メール送受信プログラム）を選択し、それを起動する。
【００６０】
ステップＳ１３において、表示部１２が時計回りに回動されていない、すなわち、反時計回りに回動されたと判定された場合、ステップＳ１７に進み、CPU４１は、さらに検出部５０から供給された検出結果に基づいて、表示部１２の位置を検出する。ステップＳ１８において、CPU４１は、表示部１２が完全に開いた状態（図１）になったか否かを判定し、未だ表示部１２が完全に開いた状態になっていないと判定した場合、ステップＳ１７に戻り、上述した処理を繰り返し実行する。
【００６１】
ステップＳ１８において、表示部１２が完全に開いた状態になったと判定された場合、ステップＳ１９に進み、CPU４１は、上述した図７のステップＳ４の処理によりRAM４３に記憶されている、表示部１２が反時計回りに回動された場合に起動させる機能（いまの場合、音楽再生プログラム）を選択し、それを起動する。
【００６２】
この処理により、携帯電話機１は、表示部１２の回動動作に応じて、ユーザにより設定された所定の機能を起動させることができる。例えば、ユーザは、表示部１２の回動動作に応じて起動させる機能として、頻繁に利用する機能を設定しておくことにより、表示部１２を回動させるだけで、簡単にその機能を起動させることができ、キー操作を減らすことができる。
【００６３】
また、表示部１２の回動方向に応じて異なる機能を起動させるだけでなく、回動速度に応じて異なる機能を起動させるようにしてもよい。具体的には、ユーザが、表示部１２を素早く回動させた場合には、第１の機能（例えば、電子メール送受信プログラム）を起動させ、表示部１２をゆっくりと回動させた場合には、第２の機能（例えば、音楽再生プログラム）を起動させることができる。なお、起動させる機能は、電子メール送受信プログラムや音楽再生プログラムに限定されるものではない。
【００６４】
さらにこれを応用して、表示部１２を素早く時計回りに回動させた場合には、第１の機能を起動させ、表示部１２をゆっくりと時計回りに回動させた場合には、第２の機能を起動させ、表示部１２を素早く反時計回りに回動させた場合には、第３の機能を起動させ、表示部１２をゆっくりと反時計回りに回動させた場合には、第４の機能を起動させることもできる。
【００６５】
また、携帯電話機１が閉じた状態（図３）から開いた状態（図１）になった場合に所定の機能を起動させるようにしたが、開いた状態から閉じた状態になった場合に所定の機能を起動させるような設定を行うことも勿論可能である。
【００６６】
さらに以上においては、表示部１２の回動動作に応じて所定の機能を起動させるようにしたが、本発明はこれに限られるものではなく、例えば、表示部１２の回動動作に応じて所定の待ち受け画面を表示させることもできる。
【００６７】
次に、図９のフローチャートを参照して、携帯電話機１が実行する待ち受け画面設定処理について説明する。この処理は、例えば、ユーザが、表示部１２の回動方向に応じて所定の待ち受け画面を表示させたい場合において、LCD２２に表示されるメニューから待ち受け画面設定処理を開始する項目（図示せず）が選択されたとき、開始される。
【００６８】
ステップＳ３１において、CPU４１は、ユーザにより、ジョグダイヤル２３や入力ボタン２６などが操作されて、表示部１２が閉じた状態（図３）から時計回りに回動された場合（図４）に表示させる待ち受け画面が入力されたか否かを判定し、その待ち受け画面が入力されたと判定するまで待機する。
【００６９】
そして、ステップＳ３１において、表示部１２が閉じた状態から時計回りに回動された場合に表示させる待ち受け画面が入力されたと判定された場合、ステップＳ３２に進み、CPU４１は、ユーザ入力信号に基づいて、表示部１２が閉じた状態から時計回りに回動された場合に表示させる待ち受け画面を設定し、それをRAM４３に記憶させる。
【００７０】
ステップＳ３３において、CPU４１は、ユーザにより、表示部１２が閉じた状態（図３）から反時計回りに回動された場合（図５）に表示させる待ち受け画面が入力されたか否かを判定し、その待ち受け画面が入力されたと判定するまで待機する。
【００７１】
そして、ステップＳ３４において、表示部１２が閉じた状態から反時計回りに回動された場合に表示させる待ち受け画面が入力されたと判定された場合、ステップＳ３４に進み、CPU４１は、ユーザ入力信号に基づいて、表示部１２が閉じた状態から反時計回りに回動された場合に表示させる待ち受け画面を設定し、それをRAM４３に記憶させる。
【００７２】
ステップＳ３５において、CPU４１は、ユーザにより、表示部１２が開いた状態（図１）から時計回りに回動された場合（図４）に表示させる待ち受け画面が入力されたか否かを判定し、その待ち受け画面が入力されたと判定するまで待機する。
【００７３】
そして、ステップＳ３５において、表示部１２が開いた状態から時計回りに回動された場合に表示させる待ち受け画面が入力されたと判定された場合、ステップＳ３６に進み、CPU４１は、ユーザ入力信号に基づいて、表示部１２が開いた状態から時計回りに回動された場合に表示させる待ち受け画面を設定し、それをRAM４３に記憶させる。
【００７４】
ステップＳ３７において、CPU４１は、ユーザにより、表示部１２が開いた状態（図１）から反時計回りに回動された場合（図５）に表示させる待ち受け画面が入力されたか否かを判定し、その待ち受け画面が入力されたと判定するまで待機する。
【００７５】
そして、ステップＳ３７において、表示部１２が開いた状態から反時計回りに回動された場合に表示させる待ち受け画面が入力されたと判定された場合、ステップＳ３８に進み、CPU４１は、ユーザ入力信号に基づいて、表示部１２が開いた状態から反時計回りに回動された場合に表示させる待ち受け画面を設定し、それをRAM４３に記憶させる。
【００７６】
この処理により、表示部１２が閉じた状態から時計回りおよび反時計回りに回動された場合に表示させる待ち受け画面が設定されるとともに、表示部１２が開いた状態から時計回りおよび反時計回りに回動された場合に表示させる待ち受け画面が設定される。
【００７７】
なお、以上においては、表示部１２が閉じた状態から時計回りに回動された場合に表示させる待ち受け画面の設定処理、表示部１２が閉じた状態から反時計回りに回動された場合に表示させる待ち受け画面の設定処理、表示部１２が開いた状態から時計回りに回動された場合に表示させる待ち受け画面の設定処理、および、表示部１２が開いた状態から反時計回りに回動された場合に表示させる待ち受け画面の設定処理の順で行うようにしたが、これはあくまで一例であり、この逆順や、その他の順で行うようにすることも勿論可能である。
【００７８】
次に、図１０のフローチャートを参照して、携帯電話機１が実行する待ち受け画面選択処理について説明する。
【００７９】
ステップＳ５１において、検出部５０は、表示部１２の位置を検出する。ステップＳ５２において、検出部５０は、表示部１２が回動されたか否かを判定し、表示部１２が回動されるまで待機する。そして、ステップＳ５２において、表示部１２が回動されたと判定された場合、その検出結果をCPU４１に供給して、ステップＳ５３に進む。
【００８０】
ステップＳ５３において、CPU４１は、検出部５０からの検出結果（表示部１２の回動方向、あるいは回動角度など）に基づいて、表示部１２が時計回りに回動されたか否かを判定し、表示部１２が時計回りに回動されたと判定した場合、ステップＳ５４に進み、上述した図９のステップＳ３２またはステップＳ３６の処理によりRAM４３に記憶されている、表示部１２が時計回りに回動された場合に表示させる待ち受け画面を選択し、それをLCD２２に表示させる。
【００８１】
ここで、CPU４１は、検出部５０の検出結果から、表示部１２が閉じた状態（図３）から時計回りに回動されたと判断した場合、図９のステップＳ３２の処理によりRAM４３に記憶されている待ち受け画面を選択し、それをLCD２２に表示させる。これにより、例えば、図１１に示されるように、LCD２２には、「パンダ」の画像が表示されるとともに、表示部１２が時計回りおよび反時計回りに回動可能であることを表わすアイコン６１が表示される。
【００８２】
ユーザは、LCD２２に表示されているアイコン６１を見て、表示部１２が時計回りまたは反時計回りに回動可能であることを知ることができる。
【００８３】
またCPU４１は、検出部５０の検出結果から、表示部１２が開いた状態（図１）から時計回りに回動されたと判断した場合、図９のステップＳ３６の処理によりRAM４３に記憶されている待ち受け画面を選択し、それをLCD２２に表示させる。これにより、例えば、図１２に示されるように、LCD２２には、「風景」の画像が表示されるとともに、表示部１２が時計回りおよび反時計回りに回動可能であることを表わすアイコン６１が表示される。
【００８４】
ステップＳ５３において、検出部５０からの検出結果に基づいて、表示部１２が時計回りに回動されていない、すなわち、表示部１２が反時計回りに回動されたと判定された場合、ステップＳ５５に進み、上述した図９のステップＳ３４またはステップＳ３８の処理によりRAM４３に記憶されている、表示部１２が反時計回りに回動された場合に表示させる待ち受け画面を選択し、それをLCD２２に表示させる。
【００８５】
ここで、CPU４１は、検出部５０の検出結果から、表示部１２が閉じた状態（図３）から反時計回りに回動されたと判断した場合、図９のステップＳ３４の処理によりRAM４３に記憶されている待ち受け画面を選択し、それをLCD２２に表示させる。これにより、例えば、図１３に示されるように、LCD２２には、「車」の画像が表示されるとともに、表示部１２が時計回りおよび反時計回りに回動可能であることを表わすアイコン６１が表示される。
【００８６】
ユーザは、LCD２２に表示されているアイコン６１を見て、表示部１２が時計回りおよび反時計回りに回動可能であることを知ることができる。
【００８７】
またCPU４１は、検出部５０の検出結果から、表示部１２が開いた状態（図１）から反時計回りに回動されたと判断した場合、図９のステップＳ３８の処理によりRAM４３に記憶されている待ち受け画面を選択し、それをLCD２２に表示させる。これにより、例えば、図１４に示されるように、LCD２２には、「ペット（犬）」の画像が表示されるとともに、表示部１２が時計回りおよび反時計回りに回動可能であることを表わすアイコン６１が表示される。
【００８８】
ステップＳ５４またはステップＳ５５の処理の後、ステップＳ５６において、CPU４１は、表示部１２が１８０度回動されたか否かを判定し、表示部１２が１８０度回動されていないと判定した場合、ステップＳ５７に進む。ここで、表示部１２が１８０度回動されるとは、例えば、閉じた状態（図３）から開いた状態（図１）に遷移されること、あるいは、開いた状態から閉じた状態に遷移されることを表わす。
【００８９】
ステップＳ５７において、CPU４１は、入力ボタン２６が押下されたか否か、すなわち、ユーザ入力信号が入力部４８から供給されたか否かを判定し、入力ボタン２６が押下されていないと判定した場合、ステップＳ５６に戻り、上述した処理を繰り返し実行する。
【００９０】
ステップＳ５７において、入力ボタン２６が押下されたと判定された場合、ステップＳ５８に進み、CPU４１は、現在表示されている待ち受け画面を選択する。このように、ユーザは、お気に入りの待ち受け画面を見つけた場合に、入力ボタン２６を押下することでそれを選択することができる。
【００９１】
この処理により、携帯電話機１は、表示部１２の回動方向に応じて、ユーザにより設定された所定の待ち受け画面を表示させることができる。また、表示部１２の回動方向だけでなく、回動角度に応じて、待ち受け画面の表示を変化させるようにしてもよい。
【００９２】
例えば、表示部１２が開いた状態（図１）または閉じた状態（図３）を０度として、時計回りに０乃至５９度回動された場合には、「ネズミ」の画像を表示させ、時計回りに６０乃至１１９度回動された場合には、「牛」の画像を表示させ、時計回りに１２０乃至１７９度回動された場合には、「トラ」の画像を表示させる。一方、反時計回りに０乃至５９度回動された場合には、「ヘビ」の画像を表示させ、反時計回りに６０乃至１１９度回動された場合には、「辰」の画像を表示させ、反時計回りに１２０乃至１７９度回動された場合には、「ヒツジ」の画像を表示させることができる。
【００９３】
以上においては、表示部回転式の携帯電話機１を例に挙げて説明したが、本発明はこれに限られるものではなく、以上の処理を、表示部と本体が回動部により回動可能に形成された、あるいは、表示部と本体がヒンジ部により開閉可能に形成されたPDA（Personal Digital Assistant）や携帯型情報端末装置などの電子機器にも広く適用することが可能である。
【００９４】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【００９５】
この記録媒体は、図６に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどのリムーバブルメディア５２により構成されるだけでなく、装置本体に予め組み込まれた状態でユーザに提供される、プログラムが記録されているROMや記憶部に含まれるハードディスクなどなどで構成される。
【００９６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００９７】
【図１】本発明を適用した携帯電話機の折り畳みを開いた状を示す正面図である。
【図２】図１の携帯電話機を折り畳んだ状態を示す斜視図である。
【図３】図１の携帯電話機を折り畳んだ状態を示す側面図である。
【図４】表示部を本体に対して時計回りに回動させる様子を示す図である。
【図５】表示部を本体に対して反時計回りに回動させる様子を示す図である。
【図６】携帯電話機の内部の構成例を示すブロック図である。
【図７】機能設定処理を説明するフローチャートである。
【図８】機能選択処理を説明するフローチャートである。
【図９】待ち受け画面設定処理を説明するフローチャートである。
【図１０】待ち受け画面選択処理を説明するフローチャートである。
【図１１】LCDに表示される画像の例を示す図である。
【図１２】LCDに表示される画像の他の例を示す図である。
【図１３】LCDに表示される画像の他の例を示す図である。
【図１４】LCDに表示される画像の他の例を示す図である。
【符号の説明】
【００９８】
１  携帯電話機，  １１  回動部，  １２  表示部，  １３  本体，  ２２  LCD，  ２３  ジョグダイヤル，  ２６  入力ボタン，  ３１，３２  光通信部，  ４１  CPU，  ４３  RAM，  ５０  検出部
【図１】
2005142626.tif 000003
【図２】
2005142626.tif 000004
【図３】
2005142626.tif 000005
【図４】
2005142626.tif 000006
【図５】
2005142626.tif 000007
【図６】
2005142626.tif 000008
【図７】
2005142626.tif 000009
【図８】
2005142626.tif 000010
【図９】
2005142626.tif 000011
【図１０】
2005142626.tif 000012
【図１１】
2005142626.tif 000013
【図１２】
2005142626.tif 000014
【図１３】
2005142626.tif 000015
【図１４】
2005142626.tif 000016